【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
通信ネットワークを介して、登録されたスケジュール情報を記憶する携帯通信端末と接続され、前記通信ネットワークを介して、経路案内情報を提供する経路案内装置であって、
前記携帯通信端末から送出される該端末の現在位置情報及びスケジュール情報に含まれる行き先情報を受信する情報受信手段と、
前記情報受信手段が受信した現在位置情報及び行き先情報に基づいて、現在位置から行き先までの経路案内情報を決定する決定手段と、
前記決定手段が決定した経路案内情報を、前記携帯通信端末に、通信ネットワークを介して、送信する情報送信手段と、
を備えることを特徴とする経路案内装置。
【請求項２】
前記決定手段が決定した経路案内情報に基づいて、路線が利用できる場合に、地図データから最寄りの乗車駅及び下車駅を検索し、その検索した路線経路の料金を算定する算定手段を更に備え、
前記情報送信手段は、前記算定手段が算定した路線経路料金の情報を、経路案内情報とともに前記携帯通信端末に、通信ネットワークを介して、送信することを特徴とする請求項１に記載の経路案内装置。
【請求項３】
前記算定手段は、決定された乗車駅と下車駅とを結ぶ路線経路が複数存在する際には、各路線経路に対応する料金が最も低料金の路線経路を最適経路路線として選定する路線経路選定手段を、更に備えることを特徴とする請求項２に記載の経路案内装置。
【請求項４】
前記算定手段は、現在位置情報及び行き先情報とともに前記端末から該携帯通信端末が記憶する電子マネー残高が送出された場合、受信した電子マネー残高の範囲以内となる料金に対応する路線経路の検索を行うことを特徴とする請求項２に記載の経路案内装置。
【請求項５】
通信ネットワークを介して、経路検索を行う経路案内装置と接続され、前記通信ネットワークを介して、前記経路案内装置から経路案内サービスを享受可能な携帯通信端末であって、
少なくとも予定時刻及び行き先情報が含まれるスケジュール情報を記憶するスケジュール記憶手段と、
現在位置情報を取得する位置情報取得手段と、
前記位置情報取得手段が取得した現在位置情報及びスケジュール情報に含まれる行き先情報を、前記通信ネットワークを介して、前記経路案内装置に送信する送信手段と、
前記送信手段が送信した情報に応答して、前記経路案内装置において決定された現在位置から行き先までの経路案内情報を受信する受信手段と、
前記受信手段が受信した経路案内情報を表示する表示手段と、
を備えることを特徴とする携帯通信端末。
【請求項６】
前記送信手段が送信した情報と前記受信手段が受信した情報とを対応付け、履歴情報として蓄積する履歴情報蓄積手段と、
前記送信手段が新たな送信を行う際に、送信しようとする情報と前記履歴情報蓄積手段に蓄積された履歴情報とを比較して、過去に検索済みかどうかを判定する履歴判定手段と、
前記履歴判定手段によって検索済みと判定されたときは、前記送信手段の送信を停止させると共に、対象の履歴情報に基づいて、前記表示手段に経路案内情報を表示させる制御手段と、
を更に備えることを特徴とする請求項５に記載の携帯通信端末。
【請求項７】
予め登録された基準位置と、予め指定された特定位置との間を移動する際の特定経路情報を予め記憶する特定経路記憶手段と、
前記送信手段が新たな送信を行う際に、スケジュール情報に従って、予定される内容が基準位置から特定位置への移動に該当するか否かを判定するスケジュール判定手段と、
前記スケジュール判定手段によって該当すると判定されたときは、前記送信手段の送信を停止させると共に、特定経路情報に基づいて、前記表示手段に経路案内情報を表示させる制御手段と、
を更に備えることを特徴とする請求項５に記載の携帯通信端末。
【請求項８】
支払い可能な電子マネーごとにその残高を記憶する残高記憶手段と、
前記経路案内装置において、路線が利用できる場合に算定される、地図データから検索された最寄りの乗車駅及び下車駅を結ぶ路線経路の料金を受信し、前記残高記憶手段が記憶する電子マネー残高よりも前記受信手段が受信した路線経路の料金が大きいかを判別する判別手段と、
前記判別手段によって電子マネー残高が路線経路の料金より少ないと判別されたときは、残高不足を報知する報知手段と、
を更に備えることを特徴とする請求項５に記載の携帯通信端末。
【請求項９】
前記送信手段が送信した情報と前記受信手段が受信した情報とを対応付け、履歴情報として蓄積する履歴情報蓄積手段と、
前記送信手段が新たな送信を行う際に、送信しようとする情報と前記履歴情報蓄積手段に蓄積された履歴情報とを比較して、過去に検索済みかどうかを判定する履歴判定手段と、
前記履歴判定手段によって検索済みと判定されたときは、前記送信手段の送信を停止させると共に、対象の履歴情報に基づいて、前記表示手段に路線経路の情報を表示させ、前記判別手段に電子マネー残高を判別させる制御手段と、
を更に備えることを特徴とする請求項８に記載の携帯通信端末。
【請求項１０】
予め登録された基準位置と、予め指定された特定位置との間を移動する際の路線経路及びその料金を含む特定経路情報を予め記憶する特定経路記憶手段と、
前記送信手段が新たな送信を行う際に、スケジュール情報に従って、予定される内容が基準位置から特定位置への移動に該当するか否かを判定するスケジュール判定手段と、
前記スケジュール判定手段によって該当すると判定されたときは、前記送信手段の送信を停止させると共に、特定経路情報に基づいて、前記表示手段に路線経路の情報を表示させ、前記判別手段に電子マネー残高を判別させる制御手段と、
を更に備えることを特徴とする請求項８に記載の携帯通信端末。
【請求項１１】
通信ネットワークを介して、登録されたスケジュール情報を記憶する携帯通信端末と接続され、前記通信ネットワークを介して、経路案内情報を提供する経路案内装置のコンピュータに、
該携帯通信端末から送出される該端末の現在位置情報及びスケジュール情報に含まれる行き先情報を受信する情報受信機能と、
前記情報受信機能が受信した現在位置情報及び行き先情報に基づいて、現在位置から行き先までの経路案内情報を決定する決定機能と、
前記決定機能が決定した経路案内情報を、前記携帯通信端末に、通信ネットワークを介して、送信する情報送信機能と、
を実現させるためのプログラム。
【請求項１２】
通信ネットワークを介して、経路検索を行う経路案内装置と接続され、前記通信ネットワークを介して、前記経路案内装置から経路案内サービスを享受可能な携帯通信端末のコンピュータに、
少なくとも予定時刻及び行き先情報が含まれるスケジュール情報を記憶するスケジュール記憶機能と、
現在位置情報を取得する位置情報取得機能と、
前記位置情報取得機能が取得した現在位置情報及びスケジュール情報に含まれる行き先情報を、前記通信ネットワークを介して、前記経路案内装置に送信する送信機能と、
前記送信機能が送信した情報に応答して、前記経路案内装置において決定された現在位置から行き先までの経路案内情報を受信する受信機能と、
前記受信機能が受信した経路案内情報を表示する表示機能と、
を実現させるためのプログラム。
【手続補正２】
【補正対象書類名】明細書
【補正対象項目名】発明の名称
【補正方法】変更
【補正の内容】
【発明の名称】経路案内装置および携帯通信端末並びにそのプログラム
【手続補正３】
【補正対象書類名】明細書
【補正対象項目名】０００１
【補正方法】変更
【補正の内容】
【０００１】
本発明は、通信端末を用いて経路案内を行う経路案内装置および携帯通信端末並びにそのプログラムに関する。
【手続補正４】
【補正対象書類名】明細書
【補正対象項目名】０００７
【補正方法】変更
【補正の内容】
【０００７】
本発明は、上記実状に鑑みてなされたもので、利用者の操作を軽減しつつ経路の案内を行うことのできる経路案内装置および携帯通信端末並びにそのプログラムを提供することを目的とする。
【手続補正５】
【補正対象書類名】明細書
【補正対象項目名】０００８
【補正方法】変更
【補正の内容】
【０００８】
上記目的を達成するため、本発明の第１の観点に係る経路案内装置は、
通信ネットワークを介して、登録されたスケジュール情報を記憶する携帯通信端末と接続され、前記通信ネットワークを介して、経路案内情報を提供する経路案内装置であって、
前記携帯通信端末から送出される該端末の現在位置情報及びスケジュール情報に含まれる行き先情報を受信する情報受信手段と、
前記情報受信手段が受信した現在位置情報及び行き先情報に基づいて、現在位置から行き先までの経路案内情報を決定する決定手段と、
前記決定手段が決定した経路案内情報を、前記携帯通信端末に、通信ネットワークを介して、送信する情報送信手段と、
を備えることを特徴とする。
【手続補正６】
【補正対象書類名】明細書
【補正対象項目名】０００９
【補正方法】変更
【補正の内容】
【０００９】
この発明によれば、情報受信手段は、携帯通信端末から送出される該端末の現在位置情報及びスケジュール情報に含まれる行き先情報を受信する。決定手段は、情報受信手段が受信した現在位置情報及び行き先情報に基づいて、現在位置から行き先までの経路案内情報を決定する。情報送信手段は、決定手段が決定した経路案内情報を、携帯通信端末に、に、通信ネットワークを介して、送信する。
このように、経路案内装置が、携帯通信端末から送られた情報に応答して経路案内情報を送信するため、携帯通信端末では、登録されたスケジュール情報に基づいて、目的地までの経路を利用者に案内可能である。
この結果、利用者の操作を軽減しつつ経路の案内を行うことができる。
上記の経路案内装置は、前記決定手段が決定した経路案内情報に基づいて、路線が利用できる場合に、地図データから最寄りの乗車駅及び下車駅を検索し、その検索した路線経路の料金を算定する算定手段を更に備え、
前記情報送信手段は、前記算定手段が算定した路線経路料金の情報を、経路案内情報とともに前記携帯通信端末に、通信ネットワークを介して、送信してもよい。
【手続補正７】
【補正対象書類名】明細書
【補正対象項目名】００１０
【補正方法】変更
【補正の内容】
【００１０】
前記算定手段は、決定された乗車駅と下車駅とを結ぶ路線経路が複数存在する際には、各路線経路に対応する料金が最も低料金の路線経路を最適経路路線として選定する路線経路選定手段を、更に備えてもよい。
【手続補正８】
【補正対象書類名】明細書
【補正対象項目名】００１１
【補正方法】変更
【補正の内容】
【００１１】
前記算定手段は、現在位置情報及び行き先情報とともに前記端末から該携帯通信端末が記憶する電子マネー残高が送出された場合、受信した電子マネー残高の範囲以内となる料金に対応する路線経路の検索を行ってもよい。
【手続補正９】
【補正対象書類名】明細書
【補正対象項目名】００１２
【補正方法】変更
【補正の内容】
【００１２】
上記目的を達成するため、本発明の第２の観点に係る携帯通信端末は、
通信ネットワークを介して、経路検索を行う経路案内装置と接続され、前記通信ネットワークを介して、前記経路案内装置から経路案内サービスを享受可能な携帯通信端末であって、
少なくとも予定時刻及び行き先情報が含まれるスケジュール情報を記憶するスケジュール記憶手段と、
現在位置情報を取得する位置情報取得手段と、
前記位置情報取得手段が取得した現在位置情報及びスケジュール情報に含まれる行き先情報を、前記通信ネットワークを介して、前記経路案内装置に送信する送信手段と、
前記送信手段が送信した情報に応答して、前記経路案内装置において決定された現在位置から行き先までの経路案内情報を受信する受信手段と、
前記受信手段が受信した経路案内情報を表示する表示手段と、
を備えることを特徴とする。
【手続補正１０】
【補正対象書類名】明細書
【補正対象項目名】００１３
【補正方法】変更
【補正の内容】
【００１３】
この発明によれば、スケジュール記憶手段は、少なくとも予定時刻及び行き先情報が含まれるスケジュール情報を記憶する。位置情報取得手段は、現在位置情報を取得する。送信手段は、位置情報取得手段が取得した現在位置情報及びスケジュール情報に含まれる行き先情報を、通信ネットワークを介して、経路案内装置に送信する。受信手段は、送信手段が送信した情報に応答して、経路案内装置において決定された現在位置から行き先までの経路案内情報を受信する。表示手段は、受信手段が受信した経路案内情報を表示する。
このように、携帯通信端末に登録されたスケジュール情報等に基づいて、目的地までの経路を利用者に案内可能である。
この結果、利用者の操作を軽減しつつ経路の案内を行うことができる。
【手続補正１１】
【補正対象書類名】明細書
【補正対象項目名】００１４
【補正方法】変更
【補正の内容】
【００１４】
上記の携帯通信端末は、前記送信手段が送信した情報と前記受信手段が受信した情報とを対応付け、履歴情報として蓄積する履歴情報蓄積手段と、
前記送信手段が新たな送信を行う際に、送信しようとする情報と前記履歴情報蓄積手段に蓄積された履歴情報とを比較して、過去に検索済みかどうかを判定する履歴判定手段と、
前記履歴判定手段によって検索済みと判定されたときは、前記送信手段の送信を停止させると共に、対象の履歴情報に基づいて、前記表示手段に経路案内情報を表示させる制御手段と、
を更に備えてもよい。
【手続補正１２】
【補正対象書類名】明細書
【補正対象項目名】００１５
【補正方法】変更
【補正の内容】
【００１５】
上記の携帯通信端末は、予め登録された基準位置と、予め指定された特定位置との間を移動する際の特定経路情報を予め記憶する特定経路記憶手段と、
前記送信手段が新たな送信を行う際に、スケジュール情報に従って、予定される内容が基準位置から特定位置への移動に該当するか否かを判定するスケジュール判定手段と、
前記スケジュール判定手段によって該当すると判定されたときは、前記送信手段の送信を停止させると共に、特定経路情報に基づいて、前記表示手段に経路案内情報を表示させる制御手段と、
を更に備えてもよい。
上記の携帯通信端末は、支払い可能な電子マネーごとにその残高を記憶する残高記憶手段と、
前記経路案内装置において、路線が利用できる場合に算定される、地図データから検索された最寄りの乗車駅及び下車駅を結ぶ路線経路の料金を受信し、前記残高記憶手段が記憶する電子マネー残高よりも前記受信手段が受信した路線経路の料金が大きいかを判別する判別手段と、
前記判別手段によって電子マネー残高が路線経路の料金より少ないと判別されたときは、残高不足を報知する報知手段と、
を更に備えてもよい。
上記の携帯通信端末は、前記送信手段が送信した情報と前記受信手段が受信した情報とを対応付け、履歴情報として蓄積する履歴情報蓄積手段と、
前記送信手段が新たな送信を行う際に、送信しようとする情報と前記履歴情報蓄積手段に蓄積された履歴情報とを比較して、過去に検索済みかどうかを判定する履歴判定手段と、
前記履歴判定手段によって検索済みと判定されたときは、前記送信手段の送信を停止させると共に、対象の履歴情報に基づいて、前記表示手段に路線経路の情報を表示させ、前記判別手段に電子マネー残高を判別させる制御手段と、
を更に備えてもよい。
上記の携帯通信端末は、予め登録された基準位置と、予め指定された特定位置との間を移動する際の路線経路及びその料金を含む特定経路情報を予め記憶する特定経路記憶手段と、
前記送信手段が新たな送信を行う際に、スケジュール情報に従って、予定される内容が基準位置から特定位置への移動に該当するか否かを判定するスケジュール判定手段と、
前記スケジュール判定手段によって該当すると判定されたときは、前記送信手段の送信を停止させると共に、特定経路情報に基づいて、前記表示手段に路線経路の情報を表示させ、前記判別手段に電子マネー残高を判別させる制御手段と、
を更に備えてもよい。
上記目的を達成するため、本発明の第３の観点に係るプログラムは、
通信ネットワークを介して、登録されたスケジュール情報を記憶する携帯通信端末と接続され、前記通信ネットワークを介して、経路案内情報を提供する経路案内装置のコンピュータに、
該携帯通信端末から送出される該端末の現在位置情報及びスケジュール情報に含まれる行き先情報を受信する情報受信機能と、
前記情報受信機能が受信した現在位置情報及び行き先情報に基づいて、現在位置から行き先までの経路案内情報を決定する決定機能と、
前記決定機能が決定した経路案内情報を、前記携帯通信端末に、通信ネットワークを介して、送信する情報送信機能と、
を実現させる。
上記目的を達成するため、本発明の第４の観点に係るプログラムは、
通信ネットワークを介して、経路検索を行う経路案内装置と接続され、前記通信ネットワークを介して、前記経路案内装置から経路案内サービスを享受可能な携帯通信端末のコンピュータに、
少なくとも予定時刻及び行き先情報が含まれるスケジュール情報を記憶するスケジュール記憶機能と、
現在位置情報を取得する位置情報取得機能と、
前記位置情報取得機能が取得した現在位置情報及びスケジュール情報に含まれる行き先情報を、前記通信ネットワークを介して、前記経路案内装置に送信する送信機能と、
前記送信機能が送信した情報に応答して、前記経路案内装置において決定された現在位置から行き先までの経路案内情報を受信する受信機能と、
前記受信機能が受信した経路案内情報を表示する表示機能と、
を実現させる。
【手続補正１３】
【補正対象書類名】明細書
【補正対象項目名】００１６
【補正方法】変更
【補正の内容】
【００１６】
本発明によれば、利用者の操作を軽減しつつ経路の案内を行う経路案内装置および携帯通信端末並びにそのプログラムを提供することができる。